(57)【要約】【課題】慣性モーメントと重心深度とを向上させる。【解決手段】フェースＦと、ソール８とを具えたアイアン型ゴルフクラブヘッド１である。フェースＦと反対側のフェース背面４かつソール側には、ヘッド後方に隆起したソール隆起部１３ｂが設けられる。ソール隆起部１３ｂの上面２０は、トウ・ヒール方向にのびている第１部分２５と、第１部分２５よりもトウ側かつヘッド上方をトウ・ヒール方向にのびている第２部分２６と、第１部分２５と第２部分２６とを継ぐ第１接続部２８とを含んでいる。第１接続部２８は、ヘッド後方に向かってヒール側に傾いている。【選択図】図４
2015029596.tif 000002
【特許請求の範囲】
【請求項１】
ボールを打撃するフェースと、前記フェースの下縁からヘッド後方にのびるソールとを具えたアイアン型ゴルフクラブヘッドであって、
前記フェースと反対側のフェース背面かつ前記ソール側には、ヘッド後方に隆起したソール隆起部を含む環状の隆起部が設けられることにより、前記フェース背面には、前記隆起部で囲まれたキャビティが形成され、
前記ソール隆起部の前記キャビティ側を向く上面は、
トウ・ヒール方向にのびている第１部分と、前記第１部分よりもトウ側かつヘッド上方をトウ・ヒール方向にのびている第２部分と、前記第１部分と前記第２部分とを継ぐ第１接続部とを含み、
前記第１接続部は、ヘッド後方に向かってヒール側に傾いていることを特徴とするアイアン型ゴルフクラブヘッド。
【請求項２】
前記第１接続部は、ヘッド重心よりもトウ側に設けられている請求項１に記載のアイアン型ゴルフクラブヘッド。
【請求項３】
前記第１接続部は、ヘッド重心よりもソール側に設けられている請求項１又は２に記載のアイアン型ゴルフクラブヘッド。
【請求項４】
前記第１接続部は、ヘッド重心を囲むように凹んでいる凹球面状である請求項１乃至３のいずれかに記載のアイアン型ゴルフクラブヘッド。
【請求項５】
前記第１部分及び前記第２部分は、それぞれ、前記フェースと直交する向きにのびる滑らかな面である請求項１乃至４のいずれかに記載のアイアン型ゴルフクラブヘッド。
【請求項６】
規定のライ角及びロフト角でヘッドが水平面に置かれた基準状態において、
前記ソール隆起部の前記フェースと平行な第１断面において、前記第１接続部は、第１曲率半径で湾曲する第１円弧部を有し、
前記ソール隆起部の前記フェースと直交するトウ・ヒール方向の第２断面において、前記第１接続部は、第２曲率半径で湾曲する第２円弧部とを含んでいる請求項１乃至５のいずれかに記載のアイアン型ゴルフクラブヘッド。
【請求項７】
前記ソール隆起部の前記上面は、前記第２部分よりもトウ側かつヘッド上方をトウ・ヒール方向にのびている第３部分と、前記第２部分と前記第３部分とを継ぐ第２接続部とを含み、
前記第２接続部は、ヘッド後方に向かってヒール側に傾いている請求項１乃至６のいずれかに記載のアイアン型ゴルフクラブヘッド。
【請求項８】
前記第２接続部は、ヘッド重心を囲むように凹んでいる凹球面状である請求項７記載のアイアン型ゴルフクラブヘッド。
【請求項９】
前記第３部分は、前記フェースと直交する向きにのびる滑らかな面である請求項７又は８に記載のアイアン型ゴルフクラブヘッド。
【請求項１０】
規定のライ角及びロフト角でヘッドが水平面に置かれた基準状態において、
前記ソール隆起部の前記フェースと平行な第１断面において、前記第２接続部は、第３曲率半径で湾曲する第３円弧部を有し、
前記ソール隆起部の前記フェースと直交しかつトウ・ヒール方向の第２断面において、前記第２接続部は、第４曲率半径で湾曲する第４円弧部とを含んでいる請求項７乃至９のいずれかに記載のアイアン型ゴルフクラブヘッド。
【請求項１１】
前記第２接続部の前記フェースと平行なトウ・ヒール方向の最大長さは、前記第１接続部の前記フェースと平行なトウ・ヒール方向の最大長さよりも小さい請求項７乃至１０のいずれかに記載のアイアン型ゴルフクラブヘッド。
【発明の詳細な説明】
【技術分野】
【０００１】
本発明は、大きい慣性モーメントと重心深度とを有するアイアン型ゴルフクラブヘッドに関する。
【背景技術】
【０００２】
下記特許文献１には、打球の方向性が改善されたアイアン型ゴルフクラブヘッドが記載されている。このアイアン型ゴルフクラブヘッドは、フェース部と、フェース部の背面からヘッド後方に隆起した隆起部とを具えている。隆起部は、ヘッドのソール側で、トウ・ヒール方向にのびている。このヘッドは、ヘッド後方かつソール側に多くの質量が配分されるため、大きな重心深度及び慣性モーメントを提供することができる。
【０００３】
しかしながら、近年では、より簡単にゴルフ競技を楽しむことができるよう、ユーザは、さらに優れた打球の方向性を求めている。
【先行技術文献】
【特許文献】
【０００４】
【特許文献１】特開２０１３−５９６８０号公報
【発明の概要】
【発明が解決しようとする課題】
【０００５】
本発明は、以上のような実情に鑑み案出なされたもので、フェース背面側でヘッド後方に隆起する隆起部の形状を改善することを基本として、大きな慣性モーメント及び重心深度を具えたアイアン型ゴルフクラブヘッドを提供することを主たる目的としている。
【課題を解決するための手段】
【０００６】
本発明は、ボールを打撃するフェースと、前記フェースの下縁からヘッド後方にのびるソールとを具えたアイアン型ゴルフクラブヘッドであって、前記フェースと反対側のフェース背面かつ前記ソール側には、ヘッド後方に隆起したソール隆起部を含む環状の隆起部が設けられることにより、前記フェース背面には、前記隆起部で囲まれたキャビティが形成され、前記ソール隆起部の前記キャビティ側を向く上面は、トウ・ヒール方向にのびている第１部分と、前記第１部分よりもトウ側かつヘッド上方をトウ・ヒール方向にのびている第２部分と、前記第１部分と前記第２部分とを継ぐ第１接続部とを含み、前記第１接続部は、ヘッド後方に向かってヒール側に傾いていることを特徴としている。
【０００７】
本発明にかかるアイアン型ゴルフクラブヘッドにおいて、前記第１接続部は、ヘッド重心よりもトウ側に設けられていることが望ましい。
【０００８】
本発明にかかるアイアン型ゴルフクラブヘッドにおいて、前記第１接続部は、ヘッド重心よりもソール側に設けられていることが望ましい。
【０００９】
本発明にかかるアイアン型ゴルフクラブヘッドにおいて、前記第１接続部は、ヘッド重心を囲むように凹んでいる凹球面状であることが望ましい。
【００１０】
本発明にかかるアイアン型ゴルフクラブヘッドにおいて、前記第１部分及び前記第２部分は、それぞれ、前記フェースと直交する向きにのびる滑らかな面であることが望ましい。
【００１１】
本発明にかかるアイアン型ゴルフクラブヘッドを規定のライ角及びロフト角で水平面に置いた基準状態において、前記ソール隆起部の前記フェースと平行な第１断面において、前記第１接続部は、第１曲率半径で湾曲する第１円弧部を有し、前記ソール隆起部の前記フェースと直交するトウ・ヒール方向の第２断面において、前記第１接続部は、第２曲率半径で湾曲する第２円弧部とを含んでいることが望ましい。
【００１２】
本発明にかかるアイアン型ゴルフクラブヘッドにおいて、前記ソール隆起部の前記上面は、前記第２部分よりもトウ側かつヘッド上方をトウ・ヒール方向にのびている第３部分と、前記第２部分と前記第３部分とを継ぐ第２接続部とを含み、前記第２接続部は、ヘッド後方に向かってヒール側に傾いていることが望ましい。
【００１３】
本発明にかかるアイアン型ゴルフクラブヘッドにおいて、前記第２接続部は、ヘッド重心を囲むように凹んでいる凹球面状であることが望ましい。
【００１４】
本発明にかかるアイアン型ゴルフクラブヘッドにおいて、前記第３部分は、前記フェースと直交する向きにのびる滑らかな面であることが望ましい。
【００１５】
本発明にかかるアイアン型ゴルフクラブヘッドの基準状態において、前記ソール隆起部の前記フェースと平行な第１断面において、前記第２接続部は、第３曲率半径で湾曲する第３円弧部を有し、前記ソール隆起部の前記フェースと直交しかつトウ・ヒール方向の第２断面において、前記第２接続部は、第４曲率半径で湾曲する第４円弧部とを含んでいることが望ましい。
【００１６】
本発明にかかるアイアン型ゴルフクラブヘッドにおいて、前記第２接続部の前記フェースと平行なトウ・ヒール方向の最大長さは、前記第１接続部の前記フェースと平行なトウ・ヒール方向の最大長さよりも小さいことが望ましい。
【発明の効果】
【００１７】
本発明のアイアン型ゴルフクラブヘッドは、ボールを打撃するフェースと、フェースの下縁からヘッド後方にのびるソールとを具えている。フェースと反対側のフェース背面かつソール側には、ヘッド後方に隆起したソール隆起部を含む環状の隆起部が設けられている。これにより、フェース背面には、隆起部で囲まれるキャビティが形成されている。このようなヘッドは、フェースの周囲かつヘッド後方に多くの質量が配分されるので、大きな重心深度及び慣性モーメントが得られる。
【００１８】
ソール隆起部のキャビティ側を向く上面は、トウ・ヒール方向にのびている第１部分と、第１部分よりもトウ側かつヘッド上方をトウ・ヒール方向にのびている第２部分と、第１部分と前記第２部分とを継ぐ第１接続部とを含んでいる。従って、ソール隆起部は、トウ側により多くの質量を配分し、さらに大きな慣性モーメントを提供する。
【００１９】
ソール隆起部の第１接続部は、ヘッド後方に向かってヒール側に傾けられている。このような第１接続部は、ヘッド後方に向かって、より多くの質量を配分することができる。従って、本発明のアイアン型ゴルフクラブヘッドは、より一層大きな慣性モーメント及び重心深度を提供することができる。
【図面の簡単な説明】
【００２０】
【図１】本発明の一実施形態のアイアン型ゴルフクラブヘッドの基準状態の正面図である。
【図２】図１の背面図である。
【図３】図１のＡ−Ａ拡大端面図である。
【図４】本実施形態のアイアン型ゴルフクラブヘッドの分解斜視図である。
【図５】フェースを垂直に近づけた状態でのヘッド本体の正面図である。
【図６】（ａ）は、ソール隆起部を部分的に取り出した上面図及び正面図、（ｂ）は、ソール隆起部を部分的に取り出した上面図である。
【図７】図３のＸ−Ｘ断面図である。
【図８】図７のＣ−Ｃ断面図及び図７のＤ−Ｄ断面図である。
【図９】比較例のアイアン型ゴルフクラブヘッドのソール隆起部を部分的に取り出した上面及び正面図である。
【発明を実施するための形態】
【００２１】
以下、本発明の実施の一形態が図面に基づき説明される。
図１は、本実施形態のアイアン型ゴルフクラブヘッド１の基準状態の正面図を示している。図２は、図１の背面図を示している。図３は、図１のＡ−Ａ端面図を示している。
【００２２】
本明細書において、アイアン型ゴルフクラブヘッド（以下、単に「ヘッド」ということがある。）１の基準状態とは、ヘッド１が規定のライ角α及びロフト角β（ロフト角βについては図３に示される。）で水平面ＨＰに置かれた状態である。本明細書において、特に言及されていない場合、ヘッド１は、基準状態にあるものとされる。「規定のライ角」及び「規定のロフト角」とは、当該ヘッド１に定められたライ角及びロフト角を意味している。
【００２３】
ヘッド１のライ角αやロフト角βは、特に限定されない。典型的には、ライ角αは、例えば５０〜７０度、ロフト角βは、例えば１５〜７０度の範囲でそれぞれ定められるのが良い。
【００２４】
図１及び図２に示されるように、本実施形態のヘッド１は、ヘッド基体２及びホーゼル部３を含んでいる。
【００２５】
ヘッド基体２は、フェースＦと、フェース背面４と、ヘッド外周面５とで区画されている。
【００２６】
フェースＦは、ボールを打撃する面である。フェースＦは、インパクトエリアマーキング６を除いて、実質的に単一の平面で形成されている部分である。インパクトエリアマーキング６としては、例えば、典型的には溝が採用されるが、パンチマーク等でも良い。フェースＦは、ヘッド重心ＧからフェースＦに引いた垂線の足であるスイートスポットＳＳを有している。
【００２７】
図２に示されるように、フェース背面４は、フェースＦとの反対側の面である。
【００２８】
ヘッド外周面５は、フェースＦとフェース背面４との間を繋いでいる。図１及び図２に示されるように、ヘッド外周面５は、トップ７、ソール８及びトウ面９を含んでいる。
【００２９】
トップ７は、ヘッド上面を形成するように、フェースＦの上縁からヘッド後方にのびている。ヘッドの前後方向については、フェース側が前、背面側が後とされる。ヘッドの上下方向については、水平面ＨＰに近い方向が下側、水平面ＨＰから遠ざかる方向が上側とされる。
【００３０】
ソール８は、ヘッド底面を形成するように、フェースＦの下縁からヘッド後方にのびている。
【００３１】
トウ面９は、トップ７とソール８との間を繋いでいる。トウ面９は、トウ側に向かって凸となる円弧状で形成されている。
【００３２】
ホーゼル部３は、筒状である。ホーゼル部３は、ヘッド基体２のヒール側に設けられている。ホーゼル部３は、底を有したシャフト差込孔３ａが形成されている。シャフト差込孔３ａには、図示しないシャフトが装着される。基準状態のヘッド１を得る場合、シャフト差込孔３ａの軸中心線ＣＬは、シャフトの軸中心線として用いられても良い。
【００３３】
本実施形態のヘッド１は、構成部材として、ヘッド本体１０と、フェース板１１とを含んでいる。
【００３４】
図４は、本実施形態のヘッド１の分解斜視図を示している。図３及び図４に示されるようにフェース板１１は、前面がフェースＦの少なくとも一部、好ましくは主要部を構成している。フェース板１１は、外周面１２で囲まれた板状である。外周面１２は、トップ７側をのびる上縁１２ａと、ソール８側をのびる下縁１２ｂと、トウ面９に沿ってのびるトウ縁１２ｃと、トウ縁１２ｃとは反対側のヒール縁１２ｄとからなる。フェース板１１には、金属材料が好適に用いられ、とりわけ、比強度が大きいチタン合金が好適である。チタン合金としては、Ｔｉ−５Ａｌ−１Ｆｅが望ましい。
【００３５】
ヘッド本体１０は、ホーゼル部３と、隆起部１３とを具えている。
【００３６】
ヘッド本体１０には、例えば、ステンレス鋼、マレージング鋼、Ｎｉ系合金又は軟鉄等の１種又は２種以上が用いられる。図示していないが、比重が大きい金属材料からなる錘部材が、ヘッド本体１０に設けられても良い。
【００３７】
本実施形態の隆起部１３は、前後に貫通する開口部Ｏの周りを環状にのびている。隆起部１３の前側には、フェース板１１が取り付けられるフェース取付部１６が設けられている。
【００３８】
図３に示されるように、フェース取付部１６は、断面略ステップ状であり、開口部Ｏを囲むように環状に設けられている。フェース取付部１６は、ヘッドの中心側を向く内向き面１６ａと、フェース側を向く前向き面１６ｂとを含んでいる。内向き面１６ａには、フェース板１１の外周面１２が向き合うように設けられている。前向き面１６ｂには、フェース板１１の背面が向き合うように設けられている。
【００３９】
フェース板１１は、フェース取付部１６に嵌め込まれ、例えば接着、圧入、かしめ、溶接又はネジ止め等の接合手段により固着されている。フェース取付部１６にフェース板１１が固着されて、開口部Ｏは閉じられる。これにより、フェース背面４には、フェース板１１の背面と隆起部１３とで囲まれる凹みからなるキャビティＣが形成される。このようなヘッドは、大きなスイートエリア及びヘッド重心Ｇを通りかつフェースＦと平行な水平軸周りの慣性モーメント（以下、単に、「上下の慣性モーメント」という場合がある）を提供することができる。
【００４０】
図４に示されるように、隆起部１３は、例えば、トップ隆起部１３ａ、ソール隆起部１３ｂ、トウ隆起部１３ｃ及びヒール隆起部１３ｄを含んでいる。
【００４１】
トップ隆起部１３ａは、トップ７を形成している。ソール隆起部１３ｂは、ソール８を形成している。トウ隆起部１３ｃは、トウ側でトップ隆起部１３ａとソール隆起部１３ｂとを接続し、トウ面９を形成している。ヒール隆起部１３ｄは、ヒール側でトップ隆起部１３ａとソール隆起部１３ｂとを接続している。ヒール隆起部１３ｄには、ホーゼル部３が一体に形成されている。
【００４２】
図３に示されるように、本実施形態のソール隆起部１３ｂは、フェース板１１の背面からヘッド後方にのびる本体１７と、本体１７の後側で上側にのびる背壁部１８とを含んでいる。これにより、ソール隆起部１３ｂは、背壁部１８とフェース板１１との間にアンダーカットキャビティを区画している。
【００４３】
ソール隆起部１３ｂの本体１７は、キャビティＣ側を向く上面２０を有している。上面２０は、フェースＦと直交する向きの幅と、トウ・ヒール方向の長さとを有している。上面２０のトウ側は、トウ隆起部１３ｃに接続されている。上面２０のヒール側は、ヒール隆起部１３ｄに接続されている。上面２０は、背壁部１８とフェース板１１の背面との間をのびている。本実施形態では、上面２０とフェース板１１との間には、幅が小さいアンダーカット溝１９が設けられている。アンダーカット溝１９は、省略されても良い。
【００４４】
図５は、基準状態のヘッド本体１０をやや前傾させることにより、水平面ＨＰに対して、フェースＦが垂直に近づけられた状態の正面図を示している。
【００４５】
図４及び図５に示されるように、本実施形態のソール隆起部１３ｂの上面２０は、ヒール側からトウ側に向かって、第１部分２５、第２部分２６及び第３部分２７の３つの部分が、高さを違えて配置されている。理解しやすいように、図５には、上面２０の傾斜状態を示す仮想線と、第１乃至第３部分２５、２６、２７を示すための薄い着色が施されている。
【００４６】
本実施形態の上面２０の第１部分２５は、トウ・ヒール方向にのびている。第１部分２５は、ヘッド重心Ｇよりも低い位置をトウ・ヒール方向にのびている。第１部分２５のヒール側はヒール隆起部１３ｄに接続されている。第１部分２５は、上面２０のうち、ヘッド重心Ｇよりもヒール側の実質的な全域を形成している。図３に示されるように、第１部分２５は、実質的にフェースＦと直交する向きにのびる滑らかな面で形成されている。好ましくは、第１部分２５の主要部は、平面で構成されている。このような第１部分２５は、ヒール側において、ヘッド１の後方に行くほど低い位置に、より多くの質量を配分しうる。
【００４７】
図４及び図５に示されるように、第２部分２６は、第１部分２５よりもトウ側かつヘッド上方をトウ・ヒール方向にのびている。好ましくは、第２部分２６も、ヘッド重心Ｇよりも低い位置かつトウ側でトウ・ヒール方向にのびている。ソール隆起部１３ｂの底面は、実質的に連続して水平面ＨＰに沿ってのびている。従って、本実施形態のヘッド１は、第２部分２６が設けられることにより、ソール隆起部１３ｂは、トウ側により多くの体積を提供する。これにより、本実施形態のヘッド１のトウ側には、より多くの質量が配分され得る。
【００４８】
本実施形態の第２部分２６は、第１部分２５と同様、実質的にフェースＦと直交する向きにのびる滑らかな面で形成されている。好ましくは、第２部分２６の主要部も、平面である。このような第２部分２６は、ヘッド重心Ｇよりもトウ側において、ヘッド１の後方に行くほど低い位置に、より多くの質量を配分する。
【００４９】
本実施形態の第３部分２７は、第２部分２５よりもトウ側に設けられており、トウ・ヒール方向にのびている。好ましくは、第３部分２７も、ヘッド重心Ｇよりも低い位置に設けられており、そのトウ側の端部はトウ隆起部１３ｃに滑らかに接続されている。従って、本実施形態のソール隆起部１３ｂは、第３部分２７が設けられることにより、ヘッド重心Ｇからトウ側に向かって、より多くの質量を配分しうる。
【００５０】
第３部分２７は、フェースＦと直交する向きにのびる滑らかな面で形成されている。従って、第３部分２７も、ヘッド１の後方に行くほど低い位置に、より多くの質量を配分する。
【００５１】
従って、第２部分２６及び第３部分２７を含む本実施形態のヘッド１は、ホーゼル部３の質量とバランスするように、トウ側に向かうほど大きな質量を配分することができるため、ヘッド重心Ｇを通る垂直軸回りの慣性モーメント（以下、単に、「左右の慣性モーメント」という場合がある）が効果的に増大する。
【００５２】
図６（ａ）には、ソール隆起部１３ｂを部分的に取り出した上面図及び正面図が上下に並べて描かれている。ソール隆起部１３ｂの上面２０には、第１接続部２８及び第２接続部２９がさらに設けられている。
【００５３】
第１接続部２８は、第１部分２５と、第１部分２５よりも高く位置している第２部分２６との間を接続している。第１接続部２８は、傾斜した面であり、ヘッド後方に向かってヒール側に傾けられている。
【００５４】
同様に、第２接続部２９は、第２部分２６と、第２部分２６よりも高く位置している第３部分２７との間を接続している。第２接続部２８も、傾斜した面であり、ヘッド後方に向かってヒール側に傾けられている。
【００５５】
従って、第２部分２６と第１接続部２８とで画定される第１ウエイト部３０は、ヘッド後方に向かってヘッド重心Ｇの後方に近づいている。同様に、第３部分２７と第２接続部２９とで画定される第２ウエイト部３１も、ヘッド後方に向かってヘッド重心Ｇの後方に近づいている。従って、本実施形態のソール隆起部１３ｂは、より深いヘッド重心Ｇを提供することが可能になる。このようなヘッド１は、打撃時のブレ（振動）が小さく、優れた方向性と打球感の向上を提供する。
【００５６】
第１接続部２８及び第２接続部２９の形状は、特に限定されるものではなく、種々の態様が採用され得る。好ましい実施形態では、第１接続部２８及び第２接続部２９は、ヘッド重心Ｇを囲むように凹んでいる凹球面状とされている。凹球面状の例は、図７及び図８に示されている。
【００５７】
図７は、各接続部２８、２９の一例として、ソール隆起部１３ｂのフェースＦと平行な第１断面として、図３のＸ−Ｘ断面が示されている。図７に示される第１断面において、第１接続部２８は、第１曲率半径Ｒ１で湾曲する第１円弧部２８ａを有している。同様に、第２接続部２９は、第１断面において、第３曲率半径Ｒ３で湾曲する第３円弧部２９ａを有している。
【００５８】
図８は、図７のＣ−Ｃ断面（左側に示す）及びＤ−Ｄ断面（右側に示す）がそれぞれ並べて描かれている。これらの断面は、フェースと直交しかつトウ・ヒール方向にのびるソール隆起部１３ｂの第２断面である。図８に示される第２断面において、第１接続部２８は、第２曲率半径Ｒ２で湾曲する第２円弧部２８ｂを含んでいる。同様に、第２接続部２９は、第４曲率半径Ｒ４で湾曲する第２円弧部２９ｂを含んでいる。
【００５９】
ヘッド重心回りの慣性モーメントは、単位質量ｍiとヘッド重心Ｇからの距離ｒiの二乗との積を全質量に亘って積分して得られる。第１接続部２８及び第２接続部２９が、ヘッド重心Ｇを囲むような凹球面状とされることにより、第１ウエイト部３０及び第２ウエイト部３１は、より効果的に、ヘッド重心Ｇから離れた位置に質量を持つ。従って、本実施形態のヘッド１は、より大きなヘッド重心Ｇ回りの慣性モーメントを提供することができる。
【００６０】
さらに好ましい実施形態では、ヘッド重心Ｇからより遠い位置に設けられた第２接続部２９の第３曲率半径Ｒ３は、第１接続部２８の第１曲率半径Ｒ１よりも大きいことが望ましい。同様の観点より、ヘッド重心Ｇからより遠い位置に設けられた第２接続部２９の第４曲率半径Ｒ４は、第１接続部２８の第２曲率半径Ｒ２よりも大きいことが望ましい。これにより、ヘッド１は、さらに効果的に、大きなヘッド重心Ｇの回りの慣性モーメントを提供することができる。
【００６１】
同時に、凹球面状の第１接続部２８及び第２接続部２９は、効果的に、ヘッド後方かつヘッド底部に質量をより多く配分することができるため、大きな重心深度及び低いヘッド重心を提供しうる。
【００６２】
ところで、自由端を持つ背壁部１８は、ボール打撃時に比較的振動しやすい。この振動は、シャフトを通して、ゴルファの手に大きな振動を与えるおそれがある。本実施形態のヘッド１では、凹球面状の第１接続部２８及び第２接続部２９は、ヘッド後方に向かってヒール側に傾けられていることにより、背壁部１８を広い範囲でキャビティ内側から支え、上述の不快な振動を抑制することができる。従って、本実施形態のヘッド１は、ゴルファに良好な打球感を提供することができる。
【００６３】
本実施形態では、第１接続部２８の第１円弧部２８ａ及び第２接続部２９の第３円弧部は、ヘッド後方に向かって第１曲率半径Ｒ１及び第３曲率半径Ｒ３がそれぞれ漸減している。同様に、第１接続部２８の第２円弧部２８ｂ及び第２接続部２９の第４円弧部２９ｂは、ヘッド上側に向かって第２曲率半径Ｒ２及び第４曲率半径Ｒ４がそれぞれ漸減している。これらにより、本実施形態のヘッド１は、さらに効果的にヘッド後方へ質量が配分され、大きな重心深度及び大きな上下の慣性モーメントが提供される。
【００６４】
図６（ａ）に示されるように、ソール隆起部１３ｂの正面視において、第１部分２５と第２部分２６との高さの差ｈ１は、好ましくは、１〜１０mmである。即ち、前記差ｈ１が１mm未満の場合、トウ側に十分に質量を配分することができず、大きなヘッド重心Ｇ回りの慣性モーメントを提供することができないおそれがある。前記差ｈ１が１０mmを超える場合、ヘッド１の質量が過度に大きくなる。同様の観点より、ソール隆起部１３ｂの正面視において、第２部分２６と第３部分２７との高さの差ｈ２は、好ましくは、１〜２０mmである。
【００６５】
なお、ロングアイアン用のヘッド１の場合、打球を上げやすくするため低いヘッド重心とするのが望ましい。これにより、ロングアイアン用のヘッド１では、第１部分２５と第２部分２６との高さの差ｈ１よりも第２部分２６と第３部分２７との高さの差ｈ２が小さいのが望ましい。ショートアイアン及びウェッジ用のヘッド１の場合、より高い左右の慣性モーメントを確保し、かつ、スピン性能を向上させるため高いヘッド重心とするのが望ましい。これにより、ショートアイアン及びウェッジ用のヘッド１では、第１部分２５と第２部分２６との高さの差ｈ１よりも第２部分２６と第３部分２７との高さの差ｈ２が大きいのが望ましい。なお、ロングアイアン用のヘッド１は、ロフト角βが２５°未満のヘッド１として定義され、ショートアイアン及びウェッジ用のヘッド１は、ロフト角βが３７°以上のヘッド１として定義される。前記高さの差ｈ１は、より好ましくは、３〜９mmである。前記高さの差ｈ２は、より好ましくは、３〜１８mmである。
【００６６】
また、図６（ａ）に示されるように、第１接続部２８のフェースＦと平行なトウ・ヒール方向の最大長さｗ１は、好ましくは、１〜２０mmである。即ち、前記最大長さｗ１が２０mmを超える場合、ヘッド１のヒール側に質量が配分され、左右の慣性モーメントが小さくなるおそれがある。前記最大長さｗ１が１mm未満の場合、ヘッド後方に質量を効果的に配分することができないおそれがある。同様の観点より、第２接続部２９のフェースＦと平行なトウ・ヒール方向の最大長さｗ２は、好ましくは、１〜１５mmである。
【００６７】
第２接続部２９の最大長さｗ２は、第１接続部２８の最大長さｗ１よりも小さいのが望ましい。ここで、ヘッド重心Ｇから第１接続部２８までのフェースＦと平行なトウ・ヒール方向の距離は、ヘッド重心Ｇから第２接続部２９までのフェースＦと平行なトウ・ヒール方向の距離よりも小さい。このため、図６（ｂ）に示されるように、上面図において、ヘッド重心Ｇを中心として第２接続部２９を通る円弧２９ｒの曲率半径ｒｂは、ヘッド重心Ｇを中心として第１接続部２８を通る円弧２８ｒの曲率半径ｒａよりも大きくなる。即ち、大きな左右の慣性モーメントを確保するためには、第１接続部２８の円弧２８ｒの上面２０でのフェースＦと平行なトウ・ヒール方向の長さＬａに比して、第２接続部２９の円弧２９ｒの上面２０でのフェースＦと平行なトウ・ヒール方向の長さＬｂは小さくなる。従って、第２接続部２９の最大長さｗ２は、第１接続部２８の最大長さｗ１よりも小さいのが望ましい。
【００６８】
以上、本発明の実施形態が詳細に説明されたが、本発明は、上記の具体的な実施形態に限定されるものでなく、種々の態様に変更して実施される。例えば、第１傾斜部又は第２傾斜部は、図示されていないが、ヘッド後方に向かってヒール側に傾けられた平面であっても良いのは言うまでもない。
【実施例】
【００６９】
図１〜８の基本構造を有するヘッドが、表１の仕様に基づき試作され、各ヘッドの重心深度、上下の慣性モーメント、及び、左右の慣性モーメントが測定された。図９には、比較例のヘッドのソール隆起部を部分的に取り出した上面図及び正面図が上下に並べて示される。図９に示されるように、比較例のヘッドは、第１接続部及び第２接続部が、ヘッド後方に向かって真っ直ぐにのびている。比較例のヘッドは、ソール隆起部を除いて図１の実施例のヘッドと同じである。各ヘッドの主な共通仕様は、以下の通りである。
【００７０】
ヘッド：６番アイアン
ライ角：６１．５°
ロフト角：２７°
フェース板の材料：Ｔｉ−５Ａｌ−１Ｆｅ
ヘッド本体の材料：ステンレス鋼（ＳＵＳ６３０）
ヘッドの質量：２５９ｇ
テスト方法は、次の通りである。
【００７１】
＜重心深度＞
重心深度として、基準状態において、ヘッド重心とスイートスポットとの垂線方向の距離ＧＬ（図３に示す）が測定された。結果は、実測値で示されている。数値が大きい程、良好である。
【００７２】
＜慣性モーメント＞
基準状態において、上下の慣性モーメント及び左右の慣性モーメントが INERTIA DYNAMICS Inc 社製のMOMENT OF INERTIA MEASURING INSTRUMENTの MODEL NO.005-002を用いて測定された。結果は、実測値で示されている。数値が大きい程、良好である。
【００７３】
【表１】
2015029596.tif 000003
【００７４】
テストの結果、実施例のヘッドは、比較例のヘッドに比べて、重心深度の大きさ、及び、両慣性モーメント、とりわけ上下の慣性モーメントが向上していることが確認できた。
【符号の説明】
【００７５】
１  アイアン型ゴルフクラブヘッド
４  フェース背面
８  ソール
１３  隆起部
１３ｂ  ソール隆起部
２０    ソール隆起部の上面
２５    第１部分
２６    第２部分
２８    第１接続部
Ｆ      フェース
【図１】
2015029596.tif 000004
【図２】
2015029596.tif 000005
【図３】
2015029596.tif 000006
【図４】
2015029596.tif 000007
【図５】
2015029596.tif 000008
【図６】
2015029596.tif 000009
【図７】
2015029596.tif 000010
【図８】
2015029596.tif 000011
【図９】
2015029596.tif 000012